(57)【要約】      （修正有）【課題】大型の容器を収容する際にサポート部材が干渉し難い容器ホルダ装置を提供する。【解決手段】サポート基部４と、サポート基部４に保持されて退避位置と展開位置との間を変位するサポート可動部５と、サポート可動部５を展開位置に向けて付勢する展開付勢部とで構成し、第１枢支部４３と第２枢支部６０との一方を突起状にするとともに他方を長孔状にし、かつ、第１ガイド部４５と第２ガイド部６５との一方を突起状にするとともに他方を少なくとも一部が湾曲した長孔状にすることで、サポート基部４の第１枢支部４３にサポート可動部５の第２枢支部６０がスライド可能に係合し、サポート基部４の第１ガイド部４５にサポート可動部５の第２ガイド部６５がスライド可能に係合するようにする。【選択図】図５
2014091395.tif 000002
【特許請求の範囲】
【請求項１】
箱状をなすケース体と、前記ケース体の内部に配置されているサポート部材と、を持ち、
前記サポート部材は、
枠状をなし前記ケース体に保持されているサポート基部と、
前記サポート基部に保持され、少なくとも一部が前記サポート基部の内部に格納される退避位置と、前記ケース体の内部への露出量が前記退避位置に比べて大きくなる展開位置と、の間を変位するサポート可動部と、
前記サポート可動部を前記展開位置に向けて付勢する展開付勢部と、を持ち、
前記サポート可動部は、
前記サポート基部に形成されている第１枢支部とスライド可能に係合する第２枢支部と、
前記サポート基部に形成されている第１ガイド部とスライド可能に係合する第２ガイド部と、
前記展開位置において前記サポート基部から前記ケース体の内部に向けて突出する保持端部と、を持ち、
前記退避位置においては前記保持端部を前記ケース体の底部に向けるとともに、前記展開位置においては前記底部と対向する前記ケース体の開口部に前記保持端部を向け、
前記第１枢支部と前記第２枢支部との一方は突起状をなすとともに他方は長孔状をなし、かつ、前記第１ガイド部と前記第２ガイド部との一方は突起状をなすとともに他方は少なくとも一部が湾曲した長孔状をなす容器ホルダ装置。
【請求項２】
前記第１枢支部は突起状をなすとともに前記第１ガイド部は長孔状をなし、かつ、前記第２枢支部は長孔状をなすとともに前記第２ガイド部は突起状をなす請求項１に記載の容器ホルダ装置。
【請求項３】
前記展開位置と退避位置との間の中間位置における前記サポート可動部の前記露出量は、前記展開位置における前記サポート可動部の前記露出量以下である請求項１または請求項２に記載の容器ホルダ装置。
【発明の詳細な説明】
【技術分野】
【０００１】
本発明は、車両等に配設され飲料等の容器を保持する容器ホルダ装置に関する。
【背景技術】
【０００２】
容器ホルダ装置として、容器を収容する部分（ケース体と呼ぶ）と、ケース体に収容した容器の側面を保持する部分（サポート部材と呼ぶ）とを持つものが知られている。この種の容器ホルダ装置において、サポート部材は、ケース体に取り付けられるとともに、ケース体の内部に形成されている収容空間に展開可能、かつ、収容空間から退避可能なサポート可動部を持つのが一般的である。
【０００３】
サポート可動部は、収容空間に展開された展開位置において容器の側面を保持する。このときサポート可動部のなかで容器の側面に当接する部分（保持端部）が、容器の上端に近い位置に配置されれば、ペットボトル等の丈の高い容器を安定して保持できる。保持端部を容器の上端に近づけるためには、展開位置において、サポート可動部が保持端部を開口部に向ける（以下、サポート可動部が上向する、と略す）のが良いと考えられる（例えば、特許文献１、２参照）。
【０００４】
一般的な容器ホルダ装置のサポート可動部は、ケース体に直接的または間接的に保持されて揺動する。サポート可動部は、展開位置に付勢されており、容器ホルダ装置に挿入された容器に押圧されて、展開位置から退避位置に向けて揺動する。容器が充分に小径であれば、サポート可動部は展開位置と退避位置との間の位置（中間位置と呼ぶ）において容器の側面に当接し、容器の側面を保持する。また、容器が大径である場合には、サポート可動部は退避位置にまで揺動して容器の側面に干渉しない。この種のサポート部材を持つ容器ホルダ装置においては、このように、収容空間へのサポート可動部の露出量を変化させることで、種々の径の容器を安定に保持し得る。
【０００５】
ところで、サポート可動部の収容空間への露出量（以下、単にサポート可動部の露出量と略す）は、サポート可動部の状態によって異なる。例えば、サポート可動部が展開位置において上向する場合、中間位置におけるサポート可動部の露出量は、展開位置におけるサポート可動部の露出量に比べて大きくなる。換言すると、サポート可動部の露出量は、容器ホルダ装置への容器の挿入を開始した後に徐々に大きくなる。
【０００６】
つまり、サポート可動部が上向する従来の容器ホルダ装置においては、大径の容器をケース体に挿入すると、挿入途中でサポート可動部が容器の側面に干渉し、退避位置にまで変位しなくなる場合があった。この場合には、容器ホルダ装置によって容器を安定して保持し難い問題がある。
【０００７】
また、例えば、ユーザーが一方の手でサポート可動部を退避位置に押さえつけつつ、もう一方の手で容器を容器ホルダ装置に挿入すれば、容器の側面に対するサポート可動部の干渉を回避できる。しかしこの場合には、容器の挿入操作が煩雑になる問題がある。
【先行技術文献】
【特許文献】
【０００８】
【特許文献１】特開２００４−１６１１６８号公報
【特許文献２】実開平７−３３７４０号公報
【発明の概要】
【発明が解決しようとする課題】
【０００９】
容器の側面を容器の頂部に比較的近い位置で保持可能なサポート部材を持ち、かつ、比較的大径の容器を容易に挿入可能な容器ホルダ装置を提供すること。
【課題を解決するための手段】
【００１０】
上記課題を解決する本発明の容器ホルダ装置は、箱状をなすケース体と、前記ケース体の内部に配置されているサポート部材と、を持ち、
前記サポート部材は、
枠状をなし前記ケース体に保持されているサポート基部と、
前記サポート基部に保持され、少なくとも一部が前記サポート基部の内部に格納される退避位置と、前記ケース体の内部への露出量が前記退避位置に比べて大きくなる展開位置と、の間を変位するサポート可動部と、
前記サポート可動部を前記展開位置に向けて付勢する展開付勢部と、を持ち、
前記サポート可動部は、
前記サポート基部に形成されている第１枢支部とスライド可能に係合する第２枢支部と、
前記サポート基部に形成されている第１ガイド部とスライド可能に係合する第２ガイド部と、
前記展開位置において前記サポート基部から前記ケース体の内部に向けて突出する保持端部と、を持ち、
前記退避位置においては前記保持端部を前記ケース体の底部に向けるとともに、前記展開位置においては前記底部と対向する前記ケース体の開口部に前記保持端部を向け、
前記第１枢支部と前記第２枢支部との一方は突起状をなすとともに他方は長孔状をなし、かつ、前記第１ガイド部と前記第２ガイド部との一方は突起状をなすとともに他方は少なくとも一部が湾曲した長孔状をなすものである。
【００１１】
本発明の容器ホルダ装置は、下記の（１）または（２）を備えるのが好ましく、（１）および（２）を備えるのがより好ましい。
（１）前記第１枢支部は突起状をなすとともに前記第１ガイド部は長孔状をなし、かつ、前記第２枢支部は長孔状をなすとともに前記第２ガイド部は突起状をなす。
（２）前記展開位置と退避位置との間の中間位置における前記サポート可動部の前記露出量は、前記展開位置における前記サポート可動部の前記露出量以下である。
【発明の効果】
【００１２】
本発明の容器ホルダ装置は、ケース体と、ケース体の内部に配置されているサポート部材とを持つ。サポート部材は、サポート可動部と、サポート可動部を保持するサポート基部とを持ち、ケース体の内部には、ケース体とサポート基部とで区画された収容空間が形成されている。サポート部材のサポート可動部は、展開位置と退避位置との間を変位する。したがって、本発明の容器ホルダ装置は、ケース体の内部に容器を収容可能であり、かつ、サポート可動部により容器の側面を保持可能である。また、サポート可動部は展開位置において保持端部をケース体の開口に向ける。つまり、展開位置においてサポート可動部は上向する。このため、本発明の容器ホルダ装置によると、容器の側面を容器の頂部に比較的近い位置（一般的には容器の上部）で保持することができる。したがって、本発明の容器ホルダ装置によると、比較的丈の高い容器を安定して保持することが可能である。
【００１３】
また、本発明の容器ホルダ装置は、サポート可動部をサポート基部に枢支するための枢支部（第１枢支部、第２枢支部）と、サポート可動部が所定の軌跡に沿って変位するようサポート可動部を案内するためのガイド部（第１ガイド部、第２ガイド部）とを持つ。そして枢支部とガイド部との両方が、長孔と突起との組み合わせで構成されている。換言すると、サポート可動部はサポート基部に対して２軸的に回動可能である。このため、本発明の容器ホルダ装置によると、展開位置から退避位置に至るサポート可動部の軌跡をコンパクトにでき、その結果、中間位置におけるサポート可動部の露出量を小さくできる。つまり、本発明の容器ホルダ装置は、大径の容器を保持する際にも、容器の側面にサポート可動部が干渉し難く、容器を容易に挿入できる。
【図面の簡単な説明】
【００１４】
【図１】実施例の容器ホルダ装置において、サポート可動部が展開位置に配置されている様子を模式的に表す斜視図である。
【図２】実施例の容器ホルダ装置において、サポート可動部が退避位置に配置されている様子を模式的に表す斜視図である。
【図３】実施例の容器ホルダ装置におけるサポート部材を模式的に表す分解斜視図である。
【図４】サポート可動部が展開位置に配置されている時の実施例の容器ホルダ装置の動作を説明する説明図である。
【図５】サポート可動部が中間位置に配置されている時の実施例の容器ホルダ装置の動作を説明する説明図である。
【図６】サポート可動部が退避位置に配置されている時の実施例の容器ホルダ装置の動作を説明する説明図である。
【発明を実施するための形態】
【００１５】
以下、具体例を挙げて本発明の容器ホルダ装置を説明する。
【００１６】
（実施例）
実施例の容器ホルダ装置を模式的に表す斜視図を図１および図２に示す。実施例の容器ホルダ装置におけるサポート部材を模式的に表す分解斜視図を図３に示す。実施例の容器ホルダ装置の動作を説明する説明図を図４〜図６に示す。より具体的には、図１はサポート可動部が展開位置に配置されている様子を表し、図２はサポート可動部が退避位置に配置されている様子を表す。また、図４はサポート可動部が展開位置に配置されている様子を表し、図５はサポート可動部が展開位置と退避位置との間の位置（中間位置）に配置されている様子を表し、図６はサポート可動部が退避位置に配置されている様子を表す。以下、実施例において、上、下、左、右、前、後とは図１に示す上、下、左、右、前、後を指す。
【００１７】
図１に示すように、容器ホルダ装置は、ケース体１と、サポート部材３と、蓋体８とを持つ。ケース体１は上方に開口する略箱状をなし、長手方向を左右に向けている。サポート部材３は、ケース体１の内部に配置されている。蓋体８は、ケース体１に枢支されている。図示しないが、蓋体８はケース体１に対して回動し、ケース体１の開口を開閉可能である。蓋体８とケース体１との間には、蓋体８の開閉動作の少なくとも一部を駆動する駆動部８０が介在している。
【００１８】
図３に示すように、サポート部材３は、サポート基部４と二つのサポート可動部５と、二つの展開付勢部３０と、を持つ。サポート基部４は略コ字の枠状をなし、開口を上方に向けつつケース体１の底部１０に固定されている。より具体的には、サポート基部４は、ケース体１の底部１０に対面する基底部４０と、基底部４０の前端部に一体化され上方に延びる第１支持柱部４１と、基底部４０の後端部に一体化され上方に延びる第２支持柱部４２と、を持つ。第１支持柱部４１および第２支持柱部４２はそれぞれ中空状をなす。また、第１支持柱部４１と第２支持柱部４２とは対向している。サポート基部４の左面および右面は、それぞれ、凹状の湾曲面状をなす。
【００１９】
第１支持柱部４１には、二つの第１枢支部４３と二つの第１ガイド部４５と、一つの付勢支持部４７（図４〜図６に示す）とが形成されている。各第１枢支部４３は第１支持柱部４１の内壁４１ａ（後壁）から後側に向けて略水平方向に突出する略円柱状をなす。二つの第１枢支部４３は左右方向すなわち略水平方向に配列し、互いに離間している。付勢支持部４７は、第１支持柱部４１の内壁から前側に向けて、第１支持柱部の中空内部に略水平方向に突出する略円柱状をなす。
【００２０】
二つの第１ガイド部４５は、第１支持柱部４１の内壁４１ａに貫通形成された長孔状をなす。一方の第１ガイド部４５は一方の第１枢支部４３の左側に配置され、他方の第１ガイド部４５は他方の第１枢支部４３の右側に配置されている。つまり、二つの第１ガイド部４５は、二つの第１枢支部４３を挟んで左右方向すなわち略水平方向に配列している。第１ガイド部４５と第１枢支部４３とは離間している。各第１ガイド部４５は略直線的に延びる展開側ガイド孔４５ａと、展開側ガイド孔４５ａに連続し曲線的に延びる退避側ガイド孔４５ｂと、を持つ。
【００２１】
図３中左側に配置されている第１ガイド部４５において、展開側ガイド孔４５ａは左上方から右下方に向けて直線的に傾斜し、退避側ガイド孔４５ｂは展開側ガイド孔４５ａの右下端部からさらに右下方に向けて略円弧状に湾曲する。図３中右側に配置されている第１ガイド部４５において、展開側ガイド孔４５ａは右上方から左下方に向けて直線的に傾斜し、退避側ガイド孔４５ｂは展開側ガイド孔４５ａの左下端部からさらに左下方に向けて略円弧状に湾曲する。つまり、二つの第１ガイド部４５は左右対称形状をなす。展開側ガイド孔４５ａの上端部は第１枢支部４３よりも上方に位置し、退避側ガイド孔４５ｂの下端部は第１枢支部４３よりも下方に位置する。
【００２２】
図示しないが、第２支持柱部４２の内壁（前壁）にもまた、第１支持柱部４１に形成されている二つの第１ガイド部４５と略同形状の二つの第１ガイド部４５と、第１支持柱部４１に形成されている二つの第１枢支部４３と略同形状の二つの第１枢支部４３と、第１支持柱部４１に形成されている一つの付勢支持部４７と略同形状の付勢支持部４７が形成されている。第１支持柱部４１に形成されている二つの第１ガイド部４５、二つの第１枢支部４３および一つの付勢支持部４７と、第２支持柱部４２に形成されている二つの第１ガイド部４５、二つの第１枢支部４３および一つの付勢支持部４７とは、前後対称に配置されている。
【００２３】
ケース体１の内部には、サポート基部４とケース体１とによって、容器を収容するための収容空間１１が区画形成されている。
【００２４】
各サポート可動部５は、図１〜図３に示すように略コ字の枠状をなし、図１に示す展開位置においてサポート基部４から収容空間１１に向けた突出端となる突出端部５０と、突出端部５０の逆側の端部である基端部５１と、を持つ。また、図３に示すように、サポート可動部５は、略柱状をなし互いに略平行に配列する二つの脚部５５と、二つの脚部５５を突出端部５０側で連結する略柱状の保持端部５６と、を持つ。保持端部５６は、突出端部５０側から基端部５１側に向けて凹状に湾曲した当接面５６ａを持つ。当接面５６ａは二つの脚部５５間に連続する。この二つの脚部５５をむすぶ方向において、当接面５６ａの凹み量は略中央部において最大である。
【００２５】
図４に示すように、サポート可動部５の当接面５６ａは、容器を収容保持する際に、容器９０の側面９０ａに当接する。各サポート可動部５がサポート基部４に保持されると、一方の脚部５５の外面（前面）が第１支持柱部４１の内面と対面し、他方の脚部５５の外面（後面）が第２支持柱部４２の内面と対面する。一方のサポート可動部５は図１中左側に配置され、他方のサポート可動部５は図１中右側に配置されている。
【００２６】
脚部５５の外面には、それぞれ、長孔状をなす第２枢支部６０と略円柱状をなす第２ガイド部６５とが形成されている。第２枢支部６０はケース体１の第１枢支部４３とスライド可能に係合し、第２ガイド部６５はケース体１の第１ガイド部４５とスライド可能に係合する。各第２ガイド部６５は、各脚部５５における突出端部５０ー基端部５１方向の略中央部に配置されている。また、各第２枢支部６０は、各第２ガイド部６５よりも基端部５１側に配置されている。第２枢支部６０と第２ガイド部６５とは離間し、第２枢支部６０は突出端部５０ー基端部５１方向に沿って直線的に延びている。
【００２７】
二つの展開付勢部３０は、トーションスプリングからなり、それぞれ略同形状である。一方の展開付勢部３０は第１支持柱部４１の内部に配置され、他方の展開付勢部３０は第２支持柱部４２の内部に配置されている。より詳しくは、図４に示すように、展開付勢部３０の一端部は、サポート基部４の付勢支持部４７に取り付けられている。展開付勢部３０の他端部は、サポート基部４の第１ガイド部４５を通じて露出するサポート可動部５の第２ガイド部６５に枢支されている。一方の展開付勢部３０は一方のサポート可動部５およびサポート基部４に取り付けられ、他方の展開付勢部３０は他方のサポート可動部５およびサポート基部４に取り付けられている。後述するように、一方の展開付勢部３０は一方のサポート可動部５を展開位置に向けて付勢し、他方の展開付勢部３０は他方のサポート可動部５を展開位置に向けて付勢する。
【００２８】
以下、実施例の容器ホルダ装置の動作を説明する。
【００２９】
図４に示す展開位置において、サポート可動部５は保持端部５６をケース体１の開口部１２（図４中上部）に向ける。つまり、展開位置においてサポート可動部５は上向する。第２ガイド部６５は第１ガイド部４５の上端部（展開側ガイド孔４５ａにおける、退避側ガイド孔４５ｂと逆側の端部）に配置され、第１枢支部４３は第２枢支部６０における基端部５１側の端部に配置されている。展開付勢部３０はサポート可動部５を展開位置に向けて付勢している。小径の容器９０を実施例の容器ホルダ装置に保持する場合、容器９０を収容空間１１に挿入すると、容器９０の底面９０ｂはケース体１の底部１０に支持される。また、容器９０の側面９０ａにはサポート可動部５の保持端部５６が対面する。サポート可動部５は展開位置に配置されているため、保持端部５６は、比較的上側の位置で容器９０の側面９０ａに対面する。したがって、このときサポート可動部５は、容器９０の頂部側（容器の開口側、図４中上側）で容器９０の側面９０ａを支持する。よって、実施例の容器ホルダ装置によると、比較的丈の高い容器９０を安定して収容保持できる。
【００３０】
容器９０が比較的大径である場合、容器９０を収容空間１１に挿入すると、サポート可動部５が容器９０の底面９０ｂに当接する。すると、サポート可動部５は容器９０に押圧されて図４に示す展開位置から図６に示す退避位置に向けて変位する。
【００３１】
具体的には、図５中２点鎖線で示すように、サポート可動部５が展開位置から退避位置に変位する初期段階（以下、変位初期段階と略する）において、第２ガイド部６５は、長孔状をなす第１ガイド部４５の展開側ガイド孔４５ａを、退避側ガイド孔４５ｂに向けてスライドする。また、第１枢支部４３は、長孔状をなす第２枢支部６０をサポート可動部５の基端部５１側から突出端部５０側に向けてスライドする。展開側ガイド孔４５ａは、収容空間１１側かつケース体１の開口１２側からサポート基部４の左右方向における中心部側かつケース体１の底部１０側に向けて略直線的に延びる。そして、第２枢支部６０もまた長孔状をなす。このためサポート可動部５は、サポート基部４に対して２軸的に回動しつつスライドする。
【００３２】
実施例におけるサポート可動部５の保持端部５６は、図５に示すように、変位初期段階においては上下方向（つまりケース体１の開口１１ー底面１０方向）に向けて略直線的に移動する。このため、変位初期段階において、収容空間１１へのサポート可動部５の露出量は略一定である。
【００３３】
図６に示すように、サポート可動部５が展開位置から退避位置に変位する後期段階（以下、単に変位後期段階と略する）において、第２ガイド部６５は、長孔状をなす第１ガイド部４５の退避側ガイド孔４５ｂを下端部に向けてスライドする。また、第１枢支部４３は、長孔状をなす第２枢支部６０を突出端部５０側に向けてスライドする。退避側ガイド孔４５ｂは、収容空間１１側かつケース体１の開口１２側からサポート基部４の内部側かつケース体１の底部１０側に向けて、略楕円弧状に延びる。このためサポート可動部５は、変位後期段階においても第１枢支部４３および第２ガイド部６５を中心として２軸的に回動しつつスライドするものの、サポート可動部５の保持端部５６の移動軌跡は、略円弧状をなす。つまり、実施例におけるサポート可動部５の保持端部５６は、変位後期段階において、変位初期段階よりも更にサポート基部４の内部側かつケース体１の底部１０側に向けて曲線的（略楕円弧状）に移動する。したがって、サポート可動部５の収容空間１１への露出量は、展開位置＝変位初期段階の中間位置＞変位後期段階の中間位置＞退避位置の順に減少する。つまり、実施例の容器ホルダ装置において、中間位置におけるサポート可動部５の収容空間１１への露出量は、展開位置におけるサポート可動部５の露出量以下である。
【００３４】
図６に示す退避位置において、サポート可動部５は保持端部５６をケース体１の底部１０側に向けて、コ字状をなすサポート基部４の内部に格納される。つまり退避位置において、サポート可動部５は下向する。このときサポート可動部５の全体はサポート基部４に格納され、かつ、サポート可動部５が下向するため、サポート可動部５の保持端部５６は容器９０の側面９０ｂに干渉しない。よって、実施例の容器ホルダ装置においては、容器９０の底面９０ａをケース体１の底部１０で支持することで、大径の容器９０を収容保持する。また、上述したように、中間位置におけるサポート可動部５の収容空間１１への露出量は、展開位置におけるサポート可動部５の露出量以下である。このため、大型の容器９０を収容空間１１に挿入する場合、サポート可動部５は容器９０の側面９０ｂに干渉しない。このため、実施例の容器ホルダ装置によると、大型の容器９０を容易かつ安定して収容保持することが可能である。
【００３５】
さらに、実施例の容器ホルダ装置においては、大型の容器９０を収容する際に、サポート可動部５が下向する退避位置に配置され、サポート部材３の上方には空間が形成される。このため、実施例の容器ホルダ装置でマグカップ等の取っ手を持つ大型の容器９０を収容保持する際には、取っ手をサポート部材３の上方に配置すれば良い。つまり、実施例の容器ホルダ装置は、取っ手を持つ大型の容器を容易かつ安定して収容保持できる。
【００３６】
実施例の容器ホルダ装置においては、サポート可動部５がサポート基部４に対して２軸的に回動するため、変位初期段階における保持端部５６の移動軌跡は展開側ガイド孔４５ａの形状と密接に関係し、変位後期段階における保持端部５６の移動軌跡は退避側ガイド孔４５ｂの形状と密接に関係する。実施例のように、変位初期段階において保持端部５６を略直線的に移動させたい場合には、展開側ガイド孔４５ａを略直線的な長孔にすれば良い。また、変位初期段階において保持端部５６を曲線的に移動させたい場合には、展開側ガイド孔４５ａを略曲線的な長孔にすれば良い。展開側ガイド孔４５ａおよび退避側ガイド孔４５ｂの形状は、容器ホルダ装置に要求される保持端部５６の移動軌跡に応じて適宜設計すれば良い。
【００３７】
実施例の容器ホルダ装置においては、第１枢支部４３が突起をなし、第２枢支部６０が長孔状をなし、第１ガイド部４５が長孔状をなし、かつ、第２ガイド部６５が突起状をなすが、本発明の容器ホルダ装置においては、第１枢支部４３と第２枢支部６０との一方が突起状をなし他方が長孔状をなすとともに、第１ガイド部４５と第２ガイド部６５との一方が突起状をなした方が長孔状をなせば良い。例えば、第１枢支部４３および第１ガイド部４５が長孔状をなすとともに第２枢支部６０および第２ガイド部６５が突起状をなしても良い。なお、第１枢支部４３、第２枢支部６０、第１ガイド部４５および第２ガイド部６５を小さいスペースに配置するためには、実施例と同様に、第１枢支部４３が突起をなし、第２枢支部６０が長孔状をなし、第１ガイド部４５が長孔状をなし、かつ、第２ガイド部６５が突起状をなすのが好ましい。
【００３８】
また、実施例の容器ホルダ装置において、ケース体１は上方にのみ開口するが、本発明の容器ホルダ装置におけるケース体１はこれに限定されない。例えば、斜め上方に開口しても良いし、側方に開口しても良いし、或いは、２以上の開口を持っても良い。
【産業上の利用可能性】
【００３９】
本発明の容器ホルダ装置は、例えば車両に搭載する容器ホルダ装置として使用できる。
【００４０】
（その他）本発明は上記し且つ図面に示した実施形態のみに限定されるものではなく、要旨を逸脱しない範囲内で適宜変更して実施できる。
【符号の説明】
【００４１】
１：ケース体                ３：サポート部材              ４：サポート基部
５：サポート可動部          １０：ケース体の底部          １２：ケース体の開口部
３０：展開付勢部            ４３：第１枢支部              ４５：第１ガイド部
５６：保持端部              ６０：第２枢支部              ６５：第２ガイド部
【図１】
2014091395.tif 000003
【図２】
2014091395.tif 000004
【図３】
2014091395.tif 000005
【図４】
2014091395.tif 000006
【図５】
2014091395.tif 000007
【図６】
2014091395.tif 000008